(57)【要約】【課題】品質の良い乾燥物を得る乾燥方法として冷風乾燥がある、しかしながら、冷風乾燥機の場合は乾燥時間長く、装置が高価である。  低温で、乾燥時間が短く、品質の良い一夜干し等の乾燥物を得ることができる乾燥機を提供することである。【解決手段】被乾燥物を収納する乾燥室と、前記乾燥室内部の空気を排出すると共に前記乾燥室内部の空気圧を減圧させるための排気装置と、前記乾燥箱の内部に遠赤外線を発生する面状発熱体を設けた乾燥機。【選択図】図４
2011185592.tif 000002
【特許請求の範囲】
【請求項１】
乾燥室と前記乾燥室内へ吸入する空気量を調整するための吸入量調整手段を設けた吸入部と前記乾燥室内の空気を排出すると共に前記乾燥室内を減圧するための排気装置を設けた排気部とからなり、前記乾燥室内を大気圧から０．１〜３Ｋｐａ減圧した状態で被乾燥物を乾燥させることを特徴とした乾燥機。
【請求項２】
前記排気部に前記乾燥室内の空気をより均一に排出するための排気調整手段を設けたことを特徴とする請求項１に記載の乾燥機。
【請求項３】
冷却除湿手段を設けて前記乾燥室から排気された空気の冷却除湿をおこなった後に循環空気として前記乾燥室内へ循環させると共に前記循環空気の空気圧を調整する空気圧調整手段とを設けたことを特徴とする請求項１または２に記載の乾燥機。
【請求項４】
前記乾燥室の内部に遠赤外線を発生させる面状発熱体を設けたことを特徴とする請求項１から３のいずれかに記載の乾燥機。
【請求項５】
前記面状発熱体に対向する前記乾燥室内の内壁にアルミ材を設けたことを特徴とする請求項４に記載の乾燥機
【請求項６】
前記乾燥室と前記乾燥室内へ吸入する空気量を調整するための前記吸入量調整手段を設けた前記吸入部と前記乾燥室内の空気を排出すると共に前記乾燥室内を減圧するための前記排気部とからなり、前記乾燥室内を大気圧から０．１〜３Ｋｐａ減圧した状態で乾燥室内の被乾燥物を乾燥させることを特徴とした乾燥方法。
【請求項７】
前記冷却除湿手段を設けて前記乾燥室から排気された空気の冷却除湿をおこない、循環空気として前記乾燥室内へ循環させると共に前記循環空気の空気圧を調整する空気圧調整手段とを設けた請求項３記載の乾燥機の乾燥室内で被乾燥物を乾燥する方法。
【請求項８】
前記乾燥室の内部に前記面状発熱体を設けた請求項４記載の乾燥機の乾燥室内で被乾燥物を乾燥する方法。
【発明の詳細な説明】
【技術分野】
【０００１】  本発明は乾燥室内を減圧可能に構成すると共に遠赤外線を発生する面状発熱体を用いた乾燥機に関するものである。
【背景技術】
【０００２】  低温での乾燥で、乾燥時間が短く、ランニングコストが低く、被乾燥物内部までより均一な乾燥で、品質の良い一夜干し等、食品等の乾燥物を得る低価格の乾燥機が求められていた。
【先行技術文献】
【特許文献】
【０００３】
【特許文献１】特開２００７−１３２６０３
【特許文献２】特開２００８−３０４１７１
【特許文献３】特開平６−１０１９６６
【発明の概要】
【発明が解決しようとする課題】
【０００４】  従来の乾燥方式として、冷風乾燥、熱風乾燥、真空乾燥がある。
しかしながら、
▲１▼  冷風乾燥の場合は乾燥時間が長く、装置が高価である。
▲２▼  高温乾燥の場合は、乾燥時間は短いが色、味が変化したり、また硬くなり、変質度合いが大きく、商品価値が下がる。
▲３▼  真空乾燥の場合は装置が高価である。
これらを解決するため、
低温で、乾燥時間が短く、ランニングコストが低く、低価格の装置で、品質の良い一夜干し等の乾燥物を得ることができる乾燥機を提供することである。
【課題を解決するための手段】
【０００５】  本発明は上記目的を達成するために、乾燥室と前記乾燥室内へ吸入する空気量を調整するための吸入量調整手段を設けた吸入部と前記乾燥室内の空気を排出すると共に前記乾燥室内を減圧するための排気装置を設けた排気部とからなり、前記乾燥室内を大気圧から０．１〜３Ｋｐａ減圧した状態で被乾燥物を乾燥させる構成としたものである。
そして、前記排気部に前記乾燥室内の空気をより均一に排出するための排気調整板を設けたものである。【０００６】  そしてまた、冷却除湿手段を設けて前記乾燥室から排気された空気の冷却除湿をおこない、循環空気として前記乾燥室内へ循環させると共に前記循環空気の空気圧を調整する空気圧調整手段とを設けたものである。
そしてまた、前記それぞれの前記乾燥室の内部に遠赤外線を含む電磁波を発生させる面状発熱体を設けたものである。
そしてまた、前記面状発熱体に対向する前記乾燥室内の側面にアルミ材を設けたものである。
前記乾燥室内を大気圧から０．１〜３Ｋｐａ減圧した状態での乾燥、即ち低減圧状態で乾燥する構成としている。
好ましくは０．２〜２Ｋｐａの減圧そして、
さらに好ましくは０．２〜１．１Ｋｐａの減圧状態での乾燥がそれぞれ被乾燥物の内部まで、より無理なく、より均一にできて、品質が良い。
【発明の効果】
【０００７】  被乾燥物の温度を低温で、３〜４時間程度以内の短い乾燥時間で、天日乾燥に近く、品質の良い魚の一夜干し等を得ることができると共に高品質の食品の乾燥ができる。
合わせて、０．１〜３Ｋｐａ程度の低減圧での乾燥のため、被乾燥物のより内部から無理なく乾燥を進行させることが可能となった。
また合わせて、多量に遠赤外線を発生する手段である面状発熱体を併用することによりより高品質の乾燥物が得られるようになった。
【図面の簡単な説明】
【０００８】
【図１】本発明による乾燥機の実施形態の正面説明図
【図２】本発明による乾燥機の他の実施形態の正面説明図
【図３】本発明による乾燥機の他の実施形態の正面説明図
【図４】本発明による乾燥機の他の実施形態の正面説明図
【発明を実施するための形態】
【０００９】  本発明による乾燥機１の実施形態を図１、図２、図３、図４に基づいて説明する。
【００１０】  本発明による乾燥機１の実施形態１を、図１を参照して説明する。
本発明による乾燥機１は乾燥室２と、乾燥室２内へ吸入する空気量を調整するための吸入量調整手段４として吸入量調整板４ａを設けた吸入部３と、乾燥室２内の空気を排出すると共に乾燥室２内を減圧するための排気装置５ａを設けた排気部５とからなり、乾燥室２内を大気圧から０．１〜３Ｋｐａ減圧した状態での乾燥、即ち低減圧状態で乾燥する構成としている。
すなわち、乾燥室２内からの排気量に対して乾燥室外から乾燥室内への吸入量を吸入量調節板４を介して絞ることにより乾燥室２内を低減圧状態としている。
排気装置５ａとして排気ファン５ｂを設けている。
乾燥室２内の複数の被乾燥物をより均等に乾燥させるため、排気ファン５ｂは乾燥室２内全体の空気の流れをより均等にして排出することが好ましい、すなわち排気ファン５ｂは乾燥室２の大きさ、構成により１台または複数台設ける。
【００１１】  吸入部３は吸入口３ａと吸入量調整手段４としての吸入量調整板４ａとで構成されている。
乾燥室２内には被乾燥物を載置するための複数の棚１０が設けられている。
乾燥室２には開閉自在に被乾燥物の出し入れのための扉が取り付けられている（図示省略）。
外気は吸入口３ａおよび吸入量調整板４ａを通過して乾燥室２内に入り、そして乾燥室２内から排気ファン５ｂによって排出される。
吸入量調整手段４として吸入量調整板４ａを設けている。
吸入量調整板４ａには複数の開口穴を設けて、排気部５における排気のための開口面積に対して吸入量調整板４ａの開口面積を小さく設けている、すなわち乾燥室２内への流入量と乾燥室２外への排気量の差により乾燥室２内は低減圧状態を保持させている。
そして排気ファン５ｂは乾燥室２内の排気をおこなうと共に０．１〜３Ｋｐａの低減圧を行うための排気装置５ａとして１台または複数設ける。
【００１２】  被乾燥物は乾燥室２の棚１０に載置されて上記の低減圧条件の下で乾燥がおこなわれる。
【００１３】  また、吸入部３には除塵用フィルターを設けている。
そして、吸入量を可変とする場合には、開口面積の異なる吸入量調整板４ａを差し替える構成または吸入量調整可能なダンパーを設ける。
【００１４】本実施形態１における実施例を次に示す。
実施例１
ふぐの開き：１２匹
▲１▼  頭、骨除去
▲２▼  乾燥室内空気の減圧量：０．２Ｋｐａ
▲３▼  乾燥室外湿度  ５７％
▲４▼  乾燥室外の気温  ２０℃
2011185592.tif 000003
【００１５】次に本発明による乾燥機の実施形態２を、図２を参照して説明する。
また、乾燥室２内の空気の流れを、より均一にして排出するための排気調整手段６として、排気調整板６ａを排気ファン５ｂの手前に設けている。
排気調整板６ａには複数の開口を設けている。
すなわち、乾燥室２内の空気は排気調整板６ａを介して排気ファン５ｂにより乾燥室２外へ排出される。
これにより、乾燥室２内の被乾燥物に対する空気の流れを、より均一とする。
【００１６】  次に、本発明による乾燥機１の他の実施形態３を図３を参照して説明する。
乾燥室１の内部の空気を冷却除湿するための冷却除湿手段８と、乾燥室２内へ入る循環空気圧を大気圧に調整する空気圧調整手段９として空気圧調整弁９ａを設ける。
すなわち、乾燥室２内の空気圧は排気ファン５ｂによって低減圧状態に保持される。そして乾燥室２外へ排気された空気は冷却除湿手段８によって冷却除湿されて、再び乾燥室２に吸入される。
すなわち、乾燥室２内から排気された空気は、冷却除湿手段８と乾燥室２を循環空気として循環している（矢印Ａ１，Ａ２方向）。
また、乾燥機１の吸入部３側に、空気圧調整手段９として空気圧調整弁９ａを設けている、これにより乾燥室２へ吸入される空気の圧力を大気圧に調整している。
【００１７】  次に、本発明による乾燥機１の他の実施形態４を図４を参照して説明する。
実施形態１〜３における乾燥室２の内部の壁面に遠赤外線を発生させる面状発熱体７を設けた構成としている。
面状発熱体７は縦糸と横糸とをそれぞれ独立に所定間隔で網目状に設けた綿織物に炭素系半導体化合物を含浸して焼き付けており、縦糸の一部には電極用導電体を設けている、そしてこれらに絶縁フィルムでラミネートしている。
乾燥室２内部に面状発熱体８を乾燥室２の内壁又は内壁側に設けている。
【００１８】  次に、本発明による乾燥機１の他の実施形態５を図４を参照して説明する。
さらにアルミシート１１ａを乾燥室２の内壁に設けた面状発熱体７に対向する内壁に張付けている。
これにより、面状発熱体７から発生する遠赤外線を含む電磁波はアルミシート１１ａで反射されて乾燥室２内の被乾燥物に対して、より効果的に作用する。
【００１９】  次に旨み成分の増加に関する実施例を示す。
実施例２
乾燥室２内へ吸入する空気量を調整するための吸入量調整板４ａを設けた吸入部３と乾燥室２内の空気を排出する排気ファン５ｂを設けた排気部５と乾燥室２の内部の側壁に遠赤外線を発生させる面状発熱体７を設けると共に、乾燥室２内を０．１〜３Ｋｐａの低減圧状態を保持した乾燥機１で乾燥させた魚と、乾燥機１から面状発熱体７を設けない乾燥機１での乾燥におけるアミノ酸とグルタミン酸の量を比較した場合において、面状発熱体７を使用した場合はアミノ酸とグルタミン酸共いづれも約１７％多い結果を得た。
【００２０】    次に、本発明による乾燥機１の他の実施形態６を説明する。
乾燥室２内へ流入する空気量を調整するための吸入量調整板４ａを設けた吸入部３と乾燥室２内の空気を排出する排気ファン５ｂを設けた排気部５と乾燥室２とからなり、乾燥室２内を大気圧から０．１〜３Ｋｐａ低減圧した状態で乾燥室２内に載置した被乾燥物を乾燥させる乾燥方法。
【００２１】  次に、本発明による乾燥機１の他の実施形態７を説明する。
排気部５に乾燥室２内の空気をより均一に排出するための排気調整板６ａを設けたことを特徴とする請求項１に記載の乾燥機１による乾燥方法。
【００２２】  次に、本発明による乾燥機１の他の実施形態８を説明する。
冷却除湿手段８を設けて乾燥室２から排気された空気の冷却除湿をおこなった後に循環空気として乾燥室２内へ循環させると共に循環空気の空気圧を大気圧に調整する空気圧調整手段９とを設けたことを特徴とする請求項１または２に記載の乾燥機による乾燥方法。
【００２３】  次に、本発明による乾燥機１の他の実施形態９を説明する。
乾燥室１の内部壁面に遠赤外線を多く含む電磁波を発生させる面状発熱体７を被乾燥物に向かって設けたことを特徴とする請求項１から３のいずれかに記載の乾燥機による乾燥方法。
【００２４】  次に、本発明による乾燥機１の他の実施形態１０を説明する。
面状発熱体７に対向する乾燥室２内の側面にアルミ材１１としてアルミシートを設けたことを特徴とする請求項１から４のいずれかに記載の乾燥機による乾燥方法。
【００２５】  次に、実施形態２において、遠赤外線を発生させる面状発熱体７を乾燥室２の内部壁面に設けた乾燥機１における実施例３〜７を示す。
以下、減圧量は大気圧からの減圧量をいう。
【００２６】実施例３
鯵の開き：１０匹、減圧量
▲１▼  頭部除去、骨付き
▲２▼  乾燥室内の減圧量：０．２Ｋｐａ
▲３▼  乾燥室外湿度  ６１％
▲４▼  乾燥室外の気温  ２０．１℃
▲５▼  乾燥室内の温度  ２１．５℃
▲６▼  面状発熱体の電力  １００Ｖ、３６０Ｗ
2011185592.tif 000004
【００２７】実施例４
鯵の開き：１２匹
▲１▼  頭部除去、骨付き
▲２▼  乾燥室１内の減圧量：１．０Ｋｐａ
▲３▼  乾燥室２外湿度  ６７％
▲４▼  乾燥室２外の気温  １８．１℃
▲５▼  乾燥室２内の温度  ２１．０℃
▲６▼  面状発熱体７の電力  １００Ｖ、３６０Ｗ
2011185592.tif 000005
【００２８】実施例５
ふぐの開き：１２匹
▲１▼  頭部除去、骨付き
▲２▼  乾燥室２内の減圧量：１．１Ｋｐａ
▲３▼  乾燥室２外湿度  ５９％
▲４▼  乾燥室２外の気温  １６．９℃
▲５▼  乾燥室２内の温度  ２１．７℃
▲６▼  面状発熱体７の電力  １００Ｖ、３６０Ｗ
2011185592.tif 000006
【００２９】実施例６
鯵の開き：１２匹
▲１▼  頭部除去、骨付き
▲２▼  乾燥室２内の減圧量：１．７Ｋｐａ
▲３▼  乾燥室２外湿度  ６１％
▲４▼  乾燥室２外の気温  １９．９℃
▲５▼  乾燥室２内の温度  ２２．８℃
▲６▼  面状発熱体７の電力  １００Ｖ、３６０Ｗ
2011185592.tif 000007
【００３０】実施例７
鯵の開き：１２匹
▲１▼  頭部除去、骨付き
▲２▼  乾燥室２内の減圧量：２．０Ｋｐａ
▲３▼  乾燥室２外湿度  ３８％
▲４▼  乾燥室２外の気温  １８．５℃
▲５▼  乾燥室２内の温度  ２１．８℃
▲６▼  面状発熱体７の電力  １００Ｖ、３６０Ｗ
2011185592.tif 000008
【符号の説明】
【００３１】１    乾燥機
２    乾燥室
３    吸入部
３ａ  吸入口
４    吸入量調整手段
４ａ  吸入量調整板
５    排気部
５ａ  排気装置
５ｂ  排気ファン
６    排気調整手段
６ａ  排気調整板
７    面状発熱体
８    冷却除湿手段
９    空気圧調整手段
１０  棚
１１  アルミ材
１１ａ  アルミシート
Ａ１，Ａ２  循環空気の流れる方向
【図１】
2011185592.tif 000009
【図２】
2011185592.tif 000010
【図３】
2011185592.tif 000011
【図４】
2011185592.tif 000012